(57)【要約】      （修正有）【課題】特に体積が小さく、かつのびのびとした動作のできるエアロバイクを提供する。【解決手段】取付フレーム１０上に伝動部品２０及び２個のペダル５０が設置され、２個のペダル５０はそれぞれ伝動部品２０両側に同一軸線で差し込まれたペダル連結バー４０の両端を利用して、使用者がペダルを踏んで２個のペダル連結バー４０を駆動して交錯状の往復運動をさせることができ、かつその取付フレーム１０の後端にそれぞれ２個のペダル連結バー４０に対応し、後ろ向きに伸びたガイド６０が設置され、またペダル連結バー４０がローラー４５を利用してガイド上にスライド設置され、構造設計によって、ペダルの高さを低下させ、その操作安全性を向上させることができ、同時にその運動軌道をより長くし、さらにその運動フィットネス効率を増進することができることを特徴とする。【選択図】図１
0003138344.tif 000002
【実用新案登録請求の範囲】
【請求項１】
取付フレームと、伝動部品と、2個のペダル連結バーと、2個のペダルと、2個のガイドとを含むエアロバイクであって、
前記取付フレームは、前記エアロバイクのオプションパーツを組み付けることができ、
前記伝動部品は、前記取付フレームの前端に立設され、前記伝動部品の両側にはそれぞれ1個の同時に作動するクランクが突き出しており、2個のクランクの自由端の延伸方向が異なった状態になっており、
前記2個のペダル連結バーは、一端がそれぞれ前記伝動部品の2個のクランクの端部に枢設され、前記伝動部品の作用を受けて閉鎖循環式往復交錯運動を行なうようにされ、
前記２個のペダルは、それぞれ前記ペダル連結バー上に設置され、
前記2個のガイドは、前記取付フレームの後端に接続され、かつ前記ガイド上で前記ペダル連結バーの別の端部がスライドすることができる一方、
これによって、さらに安全性が高く、かつ運動効果がすぐれたエアロバイクの構造を構成することを特徴とする、エアロバイク。
【請求項２】
前記取付フレームの前部には負荷を調整することができるダンピング部品が架設され、さらに前記ダンピング部品がベルトと前記伝動部品を利用して相対伝動を発生させ、前記伝動部品にダンピング効果を発生させ、それによって運動の負荷を変化させることを特徴とする、請求項１に記載のエアロバイク。
【請求項３】
前記ペダル連結バーの、前記ガイドに対応した一端にはローラー枠が設置され、前記ローラー枠内にはローラーが差し込まれたローラー・シャフトが設置され、ローラーがガイド・トップで前後にローリングし、かつ前記ペダル連結バーのローラー枠の底端付近の箇所にはリストリクションロッドが設置され、前記ガイド両側面中間部に対応するガイド溝が形成され、前記リストリクションロッドが突き抜けて、かつガイド溝内で前後に移動できるようにし、それによって前記ペダル連結バーのローラーが抜け落ちないようにしていることを特徴とする、請求項1に記載のエアロバイク。
【請求項４】
前記取付フレームの前端には上向きに伸びたポールが設置され、かつ前記ポール上に手すりポールを有し、前記ポールと前記手すりポールの接合箇所には両者の相対的長さを調整することができる調整ユニットが設置され、前記調節ユニットはポール上にねじ孔受けを有し、前記手すりポール周縁には複数個の位置決め孔が形成され、ボルトを有するつまみを利用してねじ孔受けにロックし、それによってはめ込んだ手すりポールの位置決め孔に相対し、手すりポールの高さを調節する目的を達することを特徴とする、請求項１に記載のエアロバイク。
【考案の詳細な説明】
【技術分野】
【０００１】
本考案はフィットネス器材の技術分野に係り、具体的には体積が小さく、運動軌道が長いという特徴を兼ね備え、それによってその運動性能を向上させ、同時に操作使用の安全性を増進するエアロバイクに関するものである。
【背景技術】
【０００２】
近年、運動することができる場所及び時間がともに大幅に減少し、そのため市場では多種さまざまな訓練機能を有するフィットネス器材、例えば、エアロバイク、楕円軌道フィットネス・マシン、ステップ・マシン等が発達してきた。一方、従来のステップ・マシンは使用者が上下往復の交錯運動を行なえるのみで、その運動効果はきわめて限られており、市場におけるその他の楕円軌道フィットネス・マシンにいたっては、両脚足踏み及び前後スライドによって脚力訓練を行うことができるが、その全体的構造は比較的複雑で、かつ体積は大きく、そのため製作コストが高いだけでなく、同時にスペースも必要となり、設置、使用及び収納の便に影響を及ぼしている。
【０００３】
その後、ある業者は運動効果を向上させるため、もともとフレーム後端に設置されていた伝動部品を前端に設置変更し、ステップ・バーを後ろ向きに伸ばし、ステップ・バーのもう一端をフレーム底面の後ろ向きに延びたガイド上にスライド設置したが、依然として慣用の楕円形軌道フィットネス・マシンの体積が大き過ぎるという問題を克服できなかった。
【０００４】
そのため、ある業者は台湾特許公告第M271597号の「ミニ・ランナー」を開発した。当該ミニ・ランナーは前記慣用の楕円軌道フィットネス・マシンの体積を縮小し、かつ交錯ステップ動作も有しているとはいえ、主に伝動部品の直径を縮小することにより、前記の目的を達したのであって、そのステップ距離は伝動部品の直径が小さくなったため、それに伴い短くなった。そのため小さな歩幅の交錯運動ができるだけであり、その運動性能に影響を及ぼすと同時に、その運転が最高点に達したとき、全体の重心もそれに伴って高くなり、使用者が握って支えることができる手すりがないので、使用者がつまずきやすく、さらに突発事故が発生しやすい。
【０００５】
このことにかんがみ、本考案者は長年関連産業の研究開発及び製造に従事した経験に基づいて、前記フィットネス・マシンの「体積が小さい」、「運動効果が高い」という特徴を同時に兼ね備えることができないという問題について深く研究し、積極的に解決の道を追求し、長い間研究・発展に努めた結果、ついにエアロバイクを開発することに成功し、前記フィットネス器材がスペースを必要とし、運動効果がよくないという問題を克服することができた。
【特許文献１】台湾特許公告第Ｍ２７１５９７号
【考案の開示】
【考案が解決しようとする課題】
【０００６】
本考案の主な目的は、エアロバイクを提供し、それによってフィットネス・マシンの体積を縮小し、かつその運動効果を増進することである。
【課題を解決するための手段】
【０００７】
このため、本考案は主に下記の技術手段によって、前記の目的と効果を具体的に実現した。即ち、本考案に係る請求項１は、取付フレームと、伝動部品と、2個のペダル連結バーと、2個のペダルと、2個のガイドとを含むエアロバイクであって、前記取付フレームは、前記エアロバイクのオプションパーツを組み付けることができ、
前記伝動部品は、前記取付フレームの前端に立設され、前記伝動部品の両側にはそれぞれ1個の同時に作動するクランクが突き出しており、2個のクランクの自由端の延伸方向が異なった状態になっており、
前記2個のペダル連結バーは、一端がそれぞれ前記伝動部品の2個のクランクの端部に枢設され、前記伝動部品の作用を受けて閉鎖循環式往復交錯運動を行なうようにされ、
前記２個のペダルは、それぞれ前記ペダル連結バー上に設置され、
前記2個のガイドは、前記取付フレームの後端に接続され、かつ前記ガイド上で前記ペダル連結バーの別の端部がスライドすることができる一方、
これによって、さらに安全性が高く、かつ運動効果がすぐれたエアロバイクの構造を構成することを特徴とするエアロバイクである。
【考案の効果】
【０００８】
これによって、前記技術手段の実現を通して、本考案はペダルの高さを低下させ、その操作安全性を向上させ、同時にその運動軌道をより長くし、その運動フィットネス効率をより増進することができ、さらにその付加価値を増加させ、製品の競争力と経済効果を増進することができる。
【０００９】
以下、図面及び図番号を組み合わせ、本考案の好適な実施例を挙げて詳細に説明するが、以下の記述は本考案の好適な実施例を説明するために用いたものに過ぎず、これに基づいて本考案についていかなる形式の制限を行うことも意図するものではなく、およそ本考案の実施例に精神の下、行なわれたいかなる形式の修飾または変更も依然として本考案登録の請求範囲に属するものである。
【考案を実施するための最良の形態】
【００１０】
図1を参照されたい。本考案はエアロバイクであり、当該エアロバイクは主に取付フレーム(10)前端に伝動部品(20)が設置され、伝動部品(20)の両側にそれぞれ1個のペダル連結バー(40)が差し込まれ、かつ取付フレーム(10)後端に2個のペダル連結バー(40)に対応したガイド(60)が突き出ており、2個のペダル連結バー(40)に伝動部品(20)とガイド(60)の間で閉鎖式軌道の循環交錯運動をさせることができる。
【００１１】
また、本考案の詳細な構成に関しては、図1、図2を参照されたい。取付フレーム(10)が本考案のオプションパーツ（又はその他のコンポーネント）を組み付け、かつエアロバイクを安定して地面に設置することができ、また取付フレーム(10)前端に上向きに伸びた柱(15)が設置され、計器等のコンポーネントを設置することができ、前記伝動部品（20）が柱(15)の片側に設置され、かつ伝動部品(20)の両側にそれぞれ1個の同時に作動するクランク(25)が突き出ており、2個のクランク(25)の自由端の延伸方向が異なった状態になり、かつ2個のクランク(25)の端部にそれぞれ前記のペダル連結バー(40)が差し込み接続され、また取付フレーム(10)前部に負荷を調整することができるダンピング部品(30)が架設され、当該ダンピング部品(30)が界磁抵抗器構造またはブレーキ・バンド・ダンピング構造等であってもよく、さらにダンピング部品(30)がベルト(35)と伝動部品(20)を利用して相対伝動を発生させ、伝動部品(20)にダンピング効果を発生させ、それによって運動の負荷を変化させる。
【００１２】
また、前記ペダル連結バー(40)上にそれぞれ1個の使用者が立って足踏みすることができるペダル(50)が固定設置されている。さらに図3、図4をあわせて参照されたい。ペダル連結バー(40)のガイド(60)に対応した一端に冂型ローラー枠(41)が設置され、ローラー枠(41)内にローラー(45)が差し込まれたローラー・シャフト(46)が設置され、ローラー(45)がガイド(60)トップで前後ローリングすることができ、さらにローラー枠(41)底端付近の箇所にリストリクションロッド(48)が設置され、ガイド(60)両側面中間部に対応したガイド溝(65)が形成され、リストリクションロッド(48)が突き抜け、かつガイド溝(65)内で前後に移動できるようになっており、位置制限の目的を達し、ペダル連結バー(40)のローラー(45)が抜け落ちないようにして、突発事故の発生を減少させ、かつガイド(60)両側面がガイド溝(65)辺縁でそれぞれ内向きに折れ曲がってリブ状片(66)を形成し、ガイド(60)の構造強度を向上させることを可能にする。これによって、さらに安全性が高く、かつ運動効果がすぐれたエアロバイク構造を構成する。
【００１３】
前記の構造設計によって、本考案の実際の運用時には、図2、図5及び図6に示されたように、使用者が両側ペダル(50)の上に立って、勢いにのって2個のペダル(50)を踏んでペダル連結バー(40)を作動させ、当該ペダル連結バー(40)前端が伝動部品(20)両側に差し込まれたクランク(25)の動きを受けるため、ペダル連結バー(40)が伝動部品(20)と連動し、前後交錯した足踏み及び踏み出し動作をし、かつペダル連結バー(40)後端が後方にあるガイド(60)上をスライドするので、同時に脚力訓練の運動フィットネス効果を達成し、かつ上下足踏みの高さと重心を低下させることができるので、使用者に効果的にそのバランスと重心をコントロールさせ、効果的にその使用安全性を向上させることができ、さらには構造をより簡略化し、かつ効果的に体積を縮小することができ、このように使用、設置、収蔵及び運搬における空間調整に便利であり、同時にその製造コストを低下させることができる。
【００１４】
さらに、本考案のもうひとつの実施例について、図7を参照されたい。エアロバイクの取付フレーム(10)前端に上向きに伸びたポール(70)が設置され、かつポール(70)上に手すりポール(75)を有し、それによって使用者がそれを握れるようになっており、その安全性を向上させ、さらにポール(70)と手すりポール(75)の接合箇所に両者の相対的長さを調整することができる調節ユニット(80)が設置され、当該調節ユニット(80)にはポール(70)上にねじ孔受け(81)が設置され、手すりポール(75)周縁に複数個の位置決め孔(82)が形成され、またボルトを有するつまみ(83)を利用してねじ孔受け(81)上にロックし、それによってはめ込んだ手すりポール(75)の位置決め孔(82)に相対させ、手すりポール(75)の高さを調節するという目的を達する。
【００１５】
これによって、本考案がきわめてすぐれた創意を有する考案であるということが理解できる。慣用のものが直面している問題を効果的に解決するだけでなく、さらに効果を大幅に増進させ、かつ同様の技術分野において同様または類似の製品考案または公開使用が今までになく、同時に効果の増進があるので、本考案はすでに新規性及び進歩性に関する実用新案登録要件に合致し、法に基づいて出願を行うものである。
【図面の簡単な説明】
【００１６】
【図１】本考案のエアロバイクの立体外観概略図
【図２】本考案のエアロバイクの平面概略図
【図３】本考案のエアロバイクのペダル連結バーとガイド局部の分解概略図
【図４】本考案のエアロバイクのペダル連結バーとガイドの組合せ断面概略図
【図５】本考案のエアロバイクの平面動作概略図
【図６】本考案のエアロバイクのもうひとつの平面動作概略図
【図７】本考案のエアロバイクのもうひとつの実施例の外観概略図
【符号の説明】
【００１７】
(10)  取付フレーム                        
(15)  柱
(20)  伝動部品
(30)  ダンピング部品
(35)  バンド
(40)  ペダル連結バー
(41)  ローラー枠
(45)  ローラー
(46)  ローラー・シャフト
(48)  リストリクションロッド
(50)  ペダル
(60)  ガイド
(65)  ガイド溝
(66)  リブ状片
(70)  ポール
(75)  手すりポール
(80)  調節ユニット
(81)  ねじ孔受け
(82)  位置決め孔
(83)  つまみ
【図１】
0003138344.tif 000003
【図２】
0003138344.tif 000004
【図３】
0003138344.tif 000005
【図４】
0003138344.tif 000006
【図５】
0003138344.tif 000007
【図６】
0003138344.tif 000008
【図７】
0003138344.tif 000009